(57)【特許請求の範囲】
【請求項１】
開口部を有し、内側に家庭用薄葉紙を収納する容器本体と、前記開口部を閉塞するように前記容器本体に着脱自在に取り付けられ、前記容器本体に収納された家庭用薄葉紙を取り出すための取出部が形成された蓋体と、を備えた家庭用薄葉紙収納容器において、
前記取出部は、
中央部に前記家庭用薄葉紙の上端を取出す取出孔が形成された上面部と、
前記上面部の下面に上端が固着され、内部に前記家庭用薄葉紙の取出方向に向けて縮径するテーパ状の空洞部が形成された円筒状の円筒部と、
外形が前記空洞部より大きく当該空洞部と同形のテーパ状に形成され、中央部に前記家庭用薄葉紙を挿通させる挿通孔を備え、前記挿通孔の径方向に弾性変形可能な弾性変形部と、
前記弾性変形部を載置し、前記弾性変形部を前記空洞部に向けて移動可能に構成され、前記弾性変形部が前記空洞部の内壁と当接して前記挿通孔の径方向に付勢されることで、前記挿通孔を所定の径に縮径させる径調整部と、
を備えることを特徴とする家庭用薄葉紙収納容器。
【請求項２】
請求項１に記載の家庭用薄葉紙収納容器において、
前記円筒部の外周面は第１のネジ溝が形成されており、
前記径調整部は、有底円筒形状をなし、内周面に前記第１のネジ溝と螺合する第２のネジ溝を有し、当該径調整部に回転力が付与されることで前記第１のネジ溝に案内されて前記弾性変形部を前記上面部側に移動させることを特徴とする家庭用薄葉紙収納容器。
【請求項３】
請求項１又は２に記載の家庭用薄葉紙収納容器において、
前記弾性変形部は、コレットチャック構造からなることを特徴とする家庭用薄葉紙収納容器。
【発明の詳細な説明】
【技術分野】
【０００１】
本発明は、ウェットシートやウェットティッシュ等の家庭用薄葉紙を収納する家庭用薄葉紙収納容器に関する。
【背景技術】
【０００２】
従来、家屋の床やトイレ、或いは人体などを拭くための家庭用薄葉紙を収納する家庭用薄葉紙収納容器が知られている。そして、上記家庭用薄葉紙収納容器においては、収納する家庭用薄葉紙の物性（薄葉紙の厚みや硬さ等）次第で、取出し口より家庭用薄葉紙を取出しにくくなる、又は、新たな家庭用薄葉紙を装填する際などに、その家庭用薄葉紙の１枚目に当たる端部を取出し口に通し難い等の問題があった。
【０００３】
そこで、例えば、含水性シートを挿通する第１取出孔が形成された蓋体と、第１取出孔に連通し第２取出孔が形成された開口量調整部材と、を備え、第１及び第２取出孔が積重して形成される含水性シートの通過経路の開口量が、開口量調整部材の移動量および移動方向に対応して調整可能に構成された湿潤シート収容装置が知られている（例えば、特許文献１等参照）。
【先行技術文献】
【特許文献】
【０００４】
【特許文献１】特開平１１−２２１１７０号
【０００５】
上記特許文献１記載の発明によると、開口量調整部材を所定の方向に回動させて形成される通過経路の開口の大きさを、回動量に応じて調整することが可能となるので、家庭用薄葉紙の物性に応じて当該家庭用薄葉紙を取出し易いように適宜変更することが可能となる。
【発明の概要】
【発明が解決しようとする課題】
【０００６】
しかしながら、上記特許文献１記載の発明では、開口量調整部材を回動させることで、第１及び第２取出孔の積重箇所が円周上のずれた位置に移動するため、開口量が調整されるとともに、開口が円周上のずれた位置に形成されることとなる。そのため、開口量を調整する度に家庭用薄葉紙の取出し位置が変更されてしまうので、見栄えが悪く、使用者に取出しの煩わしさを感じさせるおそれもある。また、特許文献１記載の発明によると、上記第１及び第２取出孔が積重し得る箇所全面に亘って外蓋を設けておかなければ、容器内部の家庭用薄葉紙を湿潤した状態に密封することが出来ないため、外蓋分の製造コストがかさむおそれがある。
【０００７】
本発明の課題は、製造コストを抑え、家庭用薄葉紙の取出し位置を変更することなく、家庭用薄葉紙の物性に応じて当該家庭用薄葉紙を取出し易く調整出来る家庭用薄葉紙収納容器を提供することにある。
【課題を解決するための手段】
【０００８】
以上の課題を解決するため、請求項１に記載の発明は、開口部を有し、内側に家庭用薄葉紙を収納する容器本体と、前記開口部を閉塞するように前記容器本体に着脱自在に取り付けられ、前記容器本体に収納された家庭用薄葉紙を取り出すための取出部が形成された蓋体と、を備えた家庭用薄葉紙収納容器において、前記取出部は、中央部に前記家庭用薄葉紙の上端を取出す取出孔が形成された上面部と、前記上面部の下面に上端が固着され、内部に前記家庭用薄葉紙の取出方向に向けて縮径するテーパ状の空洞部が形成された円筒状の円筒部と、外形が前記空洞部より大きく当該空洞部と同形のテーパ状に形成され、中央部に前記家庭用薄葉紙を挿通させる挿通孔を備え、前記挿通孔の径方向に弾性変形可能な弾性変形部と、前記弾性変形部を載置し、前記弾性変形部を前記空洞部に向けて移動可能に構成され、前記弾性変形部が前記空洞部の内壁と当接して前記挿通孔の径方向に付勢されることで、前記挿通孔を所定の径に縮径させる径調整部と、を備えることを特徴とする。
【０００９】
請求項２に記載の発明は、請求項１に記載の家庭用薄葉紙収納容器において、前記円筒部の外周面は第１のネジ溝が形成されており、前記径調整部は、有底円筒形状をなし、内周面に前記第１のネジ溝と螺合する第２のネジ溝を有し、当該径調整部に回転力が付与されることで前記第１のネジ溝に案内されて前記弾性変形部を前記上面部側に移動させることを特徴とする。
【００１０】
請求項３に記載の発明は、請求項１又は２に記載の家庭用薄葉紙収納容器において、前記弾性変形部は、コレットチャック構造からなることを特徴とする。
【発明の効果】
【００１１】
本発明によれば、弾性変形部の挿通孔に家庭用薄葉紙を挿通させ、取出孔の上方に当該家庭用薄葉紙の上端を突出させた状態で、径調整部により、弾性変形部が空洞部の内壁と当接して挿通孔の径方向に付勢されると、挿通孔が縮径して周面で家庭用薄葉紙を保持することができる。つまり、上記径調整部により挿通孔の径を適宜調整することにより、家庭用薄葉紙を物性に応じて取出し易いように保持調整が可能となる。また、この際、家庭用薄葉紙の取出し位置はずれることがなく、外蓋は取出孔を覆うもので足りるため、特段製造コストがかさむこともない。
したがって、本発明は、製造コストを抑え、家庭用薄葉紙の取出し位置を変更することなく、家庭用薄葉紙の物性に応じて当該家庭用薄葉紙を取出し易く調整出来る家庭用薄葉紙収納容器であるといえる。
【図面の簡単な説明】
【００１２】
【図１】本発明に係る家庭用薄葉紙収納容器を正面上方から見た斜視図である。
【図２】図１におけるII−II断面を含む家庭用薄葉紙収納容器において、容器本体と蓋体を分離した状態を示す横断面図である。
【図３】本発明に係る弾性変形部の概略構成を説明するための図である。
【図４】図２における家庭用薄葉紙収納容器において、弾性変形部を上方に移動させた状態を説明するための図である。
【図５】図４における弾性変形部をさらに上方へ移動させた状態を説明するための図である。
【図６】本発明に係る別の家庭用薄葉紙収納容器を説明するための横断面図である。
【発明を実施するための形態】
【００１３】
以下に、図面を参照して、本発明に係る家庭用薄葉紙収納容器の具体的な態様を詳細に説明する。ただし、発明の範囲は、図示例に限定されない。
【００１４】
本実施形態に係る家庭用薄葉紙収納容器１００は、例えば、図１〜図５に示すように、内側にロール状の家庭用薄葉紙Ｐ（例えば、ロール状に巻かれたウェットシートやウェットティッシュ等のロールペーパー）を収納する容器本体１１と、この容器本体１１に設けられた開口部１１ａを閉塞するように容器本体１１に着脱自在に取り付けられ、容器本体１１に収納された家庭用薄葉紙Ｐを取り出すための取出孔１４１ａが設けられた蓋体１２と、取出孔１４１ａを開閉するようにして蓋体１２の蓋体本体１３に回動自在に取り付けられたトグルキャップ１５と、等を備えて構成される。
なお、以下の説明では、家庭用薄葉紙収納容器１００の前後方向をＸ軸方向として、トグルキャップ１５の回動軸が設けられている側を後側とし、反対側を前側とする。さらに、正面視にて左右方向（幅方向）をＹ軸方向とし、上下方向をＺ軸方向とする。
【００１５】
容器本体１１は、例えば、図１及び図２に示すように、上下方向（Ｚ軸方向）を中心としてロール状に巻かれた家庭用薄葉紙Ｐを上面に載置する下底部１１ｃを有するとともに上端部に開口部１１ａが設けられた有底円筒状をなし、上端部の外周面には周方向に沿って雄ネジ用のネジ溝の形成された雄ネジ部１１ｂが設けられている。また、容器本体１１は、例えば、ＰＥ（ポリエチレン）やＰＰ（ポリプロピレン）、或いは、ＡＢＳ樹脂等から形成されている。
【００１６】
蓋体１２は、貫通部１３２を有する蓋体本体１３と、蓋体本体１３における当該貫通部１３２に取り付けられた取出部１４と、を備えて構成されている。
【００１７】
蓋体本体１３は、例えば、ＰＥ（ポリエチレン）やＰＰ（ポリプロピレン）、ＰＥＴ（ポリエチレンテレフタレート）等から形成されている。そして、蓋体本体１３は、上底部１３１を有するとともに下端部が開放された有底円筒状をなし、開放された下端部の内周面には容器本体１１の雄ネジ部１１ｂと螺合する雌ネジ部１３３が設けられている。容器本体１１と蓋体本体１３とは、当該雄ネジ部１１ｂと雌ネジ部１３３との螺合により着脱自在に連結される。これにより、容器本体１１の開口部１１ａが開閉自在となり、図２に示すように、容器本体１１から蓋体１２を取り外した状態で、容器本体１１の内部に家庭用薄葉紙Ｐを収納したり取出したりすることが可能になっている。
【００１８】
蓋体本体１３の上底部１３１には、その略中央部に、当該蓋体本体１３が容器本体１１に取り付けられた状態で家庭用薄葉紙Ｐの取り出し方向（Ｚ軸方向）に貫通した平面視円形の貫通口１３２ａが形成された貫通部１３２が設けられ、貫通部１３２の周囲には、例えば、円筒状ないし環状のＺ軸方向上側（上方向）に突出する突起部１３４が設けられている。また、突起部１３４の上端には、水平方向外側に突出し、トグルキャップ１５の係合部１６（後述）と係合する係合突起１３４ａが設けられている。
【００１９】
取出部１４は、取出部１４の上面に位置する略円盤状の円盤部１４１（上面部）と、円盤部１４１の下面に上端が固着され、内部に空洞部１４２ａが形成された円筒状の円筒部１４２と、空洞部１４２ａと同形状に形成され、中央部に挿通孔１４３ａを設け、挿通孔１４３ａの径方向に弾性変形可能な弾性変形部１４３と、弾性変形部１４３を上面に載置し、弾性変形部１４３をＺ軸方向に移動させる径調整部１４４と、を含んで構成される。
【００２０】
円盤部１４１は、例えば、ＰＥ（ポリエチレン）やＰＰ（ポリプロピレン）、ＰＥＴ（ポリエチレンテレフタレート）等からなり、係合突起１３４ａよりも下方（Ｚ軸方向）で、周面が突起部１３４に固着保持され、ＸＹ平面視で略円盤状に形成された部位であり、中央部に取出孔１４１ａが設けられている。
取出孔１４１ａは、家庭用薄葉紙Ｐを挿通させて上端を取出すためのＺ軸方向に貫通した孔である。
【００２１】
円筒部１４２は、例えば、ＰＥ（ポリエチレン）やＰＰ（ポリプロピレン）、ＰＥＴ（ポリエチレンテレフタレート）等からなり、円盤部１４１の下面に上端が固着された円筒状の部位である。
そして、円筒部１４２の内部は、上方（家庭用薄葉紙Ｐの取出方向）に向けて縮径するテーパ状の空洞部１４２ａが形成されている。
また、円筒部１４２の外周面には、周方向に沿って雄ネジ用の雄ネジ溝１４２ｂ（第１のネジ溝）が形成されている。
なお、円筒部１４２は、円盤部１４１と一体的に成形したものであってもよいし、円盤部１４１の下面に接合したものであってもよい。
【００２２】
弾性変形部１４３は、例えば、外形が空洞部１４２ａより大きく、空洞部１４２ａと同形状のテーパ状に形成された弾性部材である。
そして、弾性変形部１４３は、図２及び図３に示すように、各々の下端が径調整部１４４に固着支持され、所定間隔を隔てて円周上に設けられた４体の分割ブロック１４３ｂから構成され、中央部に家庭用薄葉紙ＰをＺ軸方向に亘って挿通させる挿通孔１４３ａが設けられた、いわゆるコレットチャック構造からなる。
つまり、弾性変形部１４３は、挿通孔１４３ａに家庭用薄葉紙Ｐを挿通させた状態で、図３のＤ方向（挿通孔の径方向）に付勢されて、Ｄ方向に弾性変形することにより、挿通孔１４３ａが縮径するので、上記挿通された家庭用薄葉紙Ｐを挿通孔１４３ａの周面で挟み込んで保持することが可能となる。
【００２３】
径調整部１４４は、例えば、ＰＥ（ポリエチレン）やＰＰ（ポリプロピレン）、ＰＥＴ（ポリエチレンテレフタレート）等からなり、弾性変形部１４３を上面に載置する載置部１４５と、弾性変形部１４３をＺ軸方向に移動させる筒状部１４６と、等を含んで構成される有底円筒形状をした部位である。
載置部１４５は、中央に家庭用薄葉紙Ｐを挿通させるための孔１４５ａが設けられた略円盤形状の部位であり、周面上端部で筒状部１４６に連結されて水平に支持される。そして、載置部１４５は、空洞部１４２ａの下方に配置され、弾性変形部１４３の下端を上面に固着した状態で載置する。
筒状部１４６は、内周面に円筒部１４２の雄ネジ溝１４２ｂと螺合する雌ネジ用の雌ネジ溝１４６ａ（第２のネジ溝）が形成された円筒状の部位であり、下端で載置部１４５と連結される。したがって、筒状部１４６は、図２に示すｒ１方向又はｒ２方向の回転力が付与されることで、雄ネジ溝１４２ｂに案内されて弾性変形部１４３（載置部１４５）を上下方向（Ｚ軸方向）に移動させることができる。
【００２４】
つまり、筒状部１４６により弾性変形部１４３を空洞部１４２ａに向けて上方に移動させると、弾性変形部１４３の外形が空洞部１４２ａよりも大きいため、弾性変形部１４３が空洞部１４２ａの内壁と当接して挿通孔１４３ａの径方向（図３のＤ方向）に付勢されて、挿通孔１４３ａを縮径する。そして、例えば、図４や図５に示すように、弾性変形部１４３を上方へ移動させるほど、空洞部１４２ａの内壁より受ける付勢力が大きくなるため、挿通孔１４３ａは一層縮径される。つまり、上記上方への移動量に応じて、空洞部１４２ａの内壁より弾性変形部１４３が受ける付勢力は変化するため、挿通孔１４３ａを所望される径に縮径調整することができる。
したがって、挿通孔１４３ａに家庭用薄葉紙Ｐを挿通させた状態で、径調整部１４４により挿通孔１４３ａの径を調整することにより、上記挿通された家庭用薄葉紙Ｐを物性に応じて適度な力で保持することが可能となる。
【００２５】
トグルキャップ１５は、例えば、蓋体本体１３の上底部１３１に連結された基端部が、Ｙ軸方向に沿って設けられた図示しない回動軸により、蓋体本体１３の上底部１３１に対して回動自在に設けられている。
また、トグルキャップ１５の下面には、取出部１４を閉塞状態とした際に突起部１３４の係合突起１３４ａと係合する係合部１６が設けられている。この係合部１６は、取出部１４を閉塞する際に、突起部１３４の外周が当該係合部１６の内周と接するようにして内挿されるように、トグルキャップ１５の下面から円筒状ないし環状に突設されている。そして、トグルキャップ１５は、例えば、閉塞状態と開放状態の中間位置において安定な状態を維持するように付勢されており、係合突起１３４ａと係合部１６との間の係合が解除されると、当該中間位置に維持されるようになっている。
なお、トグルキャップ１５は、図１〜図５に図示される大きさに限定されるものではなく、取出孔１４１ａを塞ぐことが出来、容器本体１１に収納される家庭用薄葉紙を密封できる程度のもので足りる。
【００２６】
次に、本発明に係る家庭用薄葉紙収納容器１００における、家庭用薄葉紙Ｐの装填動作について説明する。
【００２７】
家庭用薄葉紙収納容器１００に家庭用薄葉紙Ｐを装填する場合、まず、図２に示すように、雄ネジ部１１ｂと雌ネジ部１３３による螺合を解除して容器本体１１と蓋体１２とを分離させ、ロール状に巻かれた家庭用薄葉紙Ｐを、容器本体１１の開口部１１ａからその内部に収納する。
次いで、上記収納された複数の家庭用薄葉紙Ｐの中から、１枚目の家庭用薄葉紙Ｐの一端を上方へ向けて引き出し、当該引き出した一端を載置部１４５の孔１４５ａ，弾性変形部１４３の挿通孔１４３ａ，円盤部１４１の取出孔１４１ａに挿通させ、所定量取出孔１４１ａの上方に突出させて、上記家庭用薄葉紙Ｐを取出し可能な状態にする。
【００２８】
次いで、径調整部１４４の周面（筒状部１４６）を把持して、ｒ１又はｒ２方向に回転させると、図４や図５に示すように、当該回転量に応じて載置部１４５上の弾性変形部１４３が空洞部１４２ａに向かって上方へ移動する。すると、弾性変形部１４３が空洞部１４２ａの内壁と当接し、挿通孔１４３ａの径方向に付勢され、挿通孔１４３ａが所定の径に縮径するため、当該家庭用薄葉紙Ｐを物性に応じて適度な力で保持する。
次いで、上記挿通孔１４３ａで家庭用薄葉紙Ｐを適度に保持した状態で、容器本体１１に蓋体１２を装着させて、トグルキャップ１５を閉じることで、装填動作が完了する。
【００２９】
以上説明したように、本実施形態に係る家庭用薄葉紙収納容器１００によれば、取出部１４は、中央部に家庭用薄葉紙Ｐの上端を取出す取出孔１４１ａが形成された円盤部１４１と、円盤部１４１の下面に上端が固着され、内部に家庭用薄葉紙Ｐの取出方向（Ｚ軸方向）に向けて縮径するテーパ状の空洞部１４２ａが形成された円筒状の円筒部１４２と、外形が空洞部１４２ａより大きく当該空洞部１４２ａと同形のテーパ状に形成され、中央部に家庭用薄葉紙Ｐを挿通させる挿通孔１４３ａを備え、挿通孔１４３ａの径方向に弾性変形可能な弾性変形部１４３と、弾性変形部１４３を載置し、弾性変形部１４３を空洞部１４２ａに向けて移動可能に構成され、弾性変形部１４３が空洞部１４２ａの内壁と当接して挿通孔１４３ａの径方向に付勢されることで、挿通孔１４３ａを所定の径に縮径させる径調整部１４４と、を備えて構成される。
【００３０】
つまり、弾性変形部１４３の挿通孔１４３ａに家庭用薄葉紙Ｐを挿通させ、取出孔１４１ａの上方に当該家庭用薄葉紙Ｐの上端を突出させた状態で、径調整部１４４により、弾性変形部１４３が空洞部１４２ａの内壁と当接して挿通孔１４３ａの径方向に付勢されると、挿通孔１４３ａが縮径して周面で家庭用薄葉紙Ｐを保持することができる。つまり、径調整部１４４により挿通孔１４３ａの径を適宜調整することにより、家庭用薄葉紙Ｐを物性に応じて取出し易いように保持調整が可能となる。また、この際、家庭用薄葉紙Ｐの取出し位置はずれることがなく、外蓋（トグルキャップ１５）は取出孔１４１ａを覆うもので足りるため、特段製造コストがかさむこともない。
したがって、家庭用薄葉紙収納容器１００は、製造コストを抑え、家庭用薄葉紙の取出し位置を変更することなく、家庭用薄葉紙の物性に応じて当該家庭用薄葉紙を取出し易く調整出来る家庭用薄葉紙収納容器であるといえる。
【００３１】
また、円筒部１４２の外周面は雄ネジ溝１４２ｂが形成されており、径調整部１４４は、有底円筒形状をなし、内周面に雄ネジ溝１４２ｂと螺合する雌ネジ溝１４６ａを有し、当該径調整部１４４に回転力が付与されることで雄ネジ溝１４２ｂに案内されて弾性変形部１４３を上方（円盤部１４１側）に移動させるように構成される。
【００３２】
つまり、上記のように、雌雄一対の雄ネジ溝１４２ｂ及び雌ネジ溝１４６ａからなる簡便なネジ機構を用いて弾性変形部１４３の上下動（挿通孔１４３ａの径調整）を容易に実現することが出来るので、本家庭用薄葉紙収納容器１００の製造コストを好適に抑えることができる。
【００３３】
また、弾性変形部１４３は、円周上に設けられた４体の分割ブロック１４３ｂから構成され、中央部に家庭用薄葉紙ＰをＺ軸方向に亘って挿通させる挿通孔１４３ａが設けられたコレットチャック構造からなる。
【００３４】
つまり、当該分割ブロック１４３ｂが空洞部１４２ａの内壁と当接することで、挿通孔１４３ａを容易に縮径させることが出来るとともに、縮径した状態を自在に保持することが可能となる。
【００３５】
なお、本発明の範囲は上記実施形態に限られることなく、本発明の趣旨を逸脱しない範囲において種々の改良並びに設計の変更を行っても良い。
【００３６】
例えば、上記実施形態では、弾性変形部１４３を上方に移動させる機構として、雌雄一対の雄ネジ溝１４２ｂ及び雌ネジ溝１４６ａからなるネジ機構を用いているが、ラック／ピニオン機構等適宜の変更が可能である。
【００３７】
また、上記実施形態では、筒状部１４６を把持して、ｒ１又はｒ２方向に回転させることで、弾性変形部１４３を空洞部１４２ａに向かって上方へ移動させ、挿通孔１４３の径を縮径できるように構成したが、例えば、図６に示すように、円盤部１４１１をＺ軸方向に上下動可能に構成して、円筒部１４２（空洞部１４２ａ）を弾性変形部１４３へ向けて下方に移動させるように構成しても良い。
【００３８】
具体的には、円盤部１４１１の周面に雄ネジ用の雄ネジ溝１４１１ａを形成しておき、突起部１３４の内壁面に上記雄ネジ溝１４１１ａと螺合する、雌ネジ用の雌ネジ溝１３４ｂを備えておく。そして、載置部１４５の周面は蓋体本体１３の内壁で固着支持する。
そして、円盤部１４１の上面の外周側に取手１４１ｂを設け、当該取手１４１ｂを把持して、ｒ１又はｒ２方向に円盤部１４１１を回転させる。すると、雄ネジ溝１４１１ａと雌ネジ溝１３４ｂとの螺合、及び、雄ネジ溝１４２ｂと雌ネジ溝１４６ａとの螺合により、円盤部１４１１及び円筒部１４２（空洞部１４２ａ）を弾性変形部１４３に向けて下方へ移動し、空洞部１４２ａと弾性変形部１４３が当接して、弾性変形部１４３が空洞部１４２ａより付勢されて、挿通孔１４３ａを縮径させることが出来る。
上記のように構成した場合、円盤部１４１１を回転させる取手１４１ｂが、円盤部１４１１の上面、つまり、蓋体本体１３からトグルキャップ１５を取り外した状態で外部に露出する位置に設けられているため、容器本体１１に蓋体１２を装着した後でも、挿通孔１４３ａの縮径調整を行うことが可能となる。そのため、一旦縮径調整を行った後に再度の調整を行う場合等に蓋体１２を取り外す必要がないため、装填作業が一層容易になる。
【符号の説明】
【００３９】
１００    家庭用薄葉紙収納容器
１１      容器本体  
１１ａ    開口部
１２      蓋体
１４      取出部
１４１    円盤部
１４１ａ  取出孔
１４２    円筒部
１４２ａ  空洞部
１４２ｂ  雄ネジ溝（第１のネジ溝）
１４３    弾性変形部
１４３ａ  挿通孔
１４４    径調整部
１４６ａ  雌ネジ溝（第２のネジ溝）
Ｐ        家庭用薄葉紙
【図１】
0005484842.tif 000002
【図２】
0005484842.tif 000003
【図３】
0005484842.tif 000004
【図４】
0005484842.tif 000005
【図５】
0005484842.tif 000006
【図６】
0005484842.tif 000007